(57)【要約】【課題】  コンソール型電子写真複写機において、立位で行うように設計されたＡＤＦの開閉操作に支障をあたえず、且つ、車椅子を使用する下肢障害者にも低い位置でのＡＤＦの閉操作が容易な複写機を、簡単な構成で実現する。【解決手段】  画像読み取り装置と、該画像読み取り装置の本体上面後端部に固定されたヒンジを介して上下方向に開閉される自動原稿送り装置とを備える画像形成装置において、自動原稿送り装置右側面に回動自在に支持される、半円弧形状部分を有する閉用補助把手を有することを特徴とする。その閉用補助把手は、自動原稿送り装置を降下させた場合、自重で複写機本体上面へ接触するとともに半円弧状部分が前方へ回転し滑りながら回避動作を行い、自動原稿送り装置の閉じ操作の邪魔をすることがない構成となっている。【選択図】  図１
2006162743.tif 000002
【特許請求の範囲】
【請求項１】
画像読み取り装置（１）と、該画像読み取り装置の本体上面後端部に固定されたヒンジ（５）を介して上下方向に開閉される自動原稿送り装置（３）とを備える画像形成装置において、自動原稿送り装置（３）右側面に回動自在に支持される、半円弧形状部分を有する閉用補助把手（６）を有することを特徴とする画像形成装置。
【請求項２】
前記閉用補助把手（６）は樹脂素材で構成されることを特徴とする請求項１の画像形成装置。
【請求項３】
前記閉用補助把手（６）は、自動原稿送り装置（３）を降下させた場合、自重で複写機本体上面（１１）へ接触するとともに半円弧状部分が前方へ回転し滑りながら回避動作を行うことを特徴とする請求項１の画像形成装置。
【請求項４】
前記閉用補助把手（６）は、先端に球形部分（７）を有することを特徴とする請求項１の画像形成装置。
【請求項５】
前記閉用補助把手（６）は、自動原稿送り装置（３）開状態で回動規制されるが、その回動規制状態において床面から１１７０ｍｍ以内の高さに位置することを特徴とする請求項１の画像形成装置。
【発明の詳細な説明】
【技術分野】
【０００１】
本発明は、コンソールタイプ本体の上部に位置する自動原稿送り装置が回動可能に連結されるようになった本体上部と本体内部に画像形成部と読み取り部を有する、いわゆるコンソール型の複写機に関する。
【背景技術】
【０００２】
このような複写機では、自動的に原稿を原稿載置面に送り込む自動原稿送り装置（以下、ＡＤＦと称する。）が使用される。
【０００３】
ＡＤＦは、シート状の原稿以外でＡＤＦに送り込むことができない、綴じられた書類や本を複写する際には、ＡＤＦを持ち上げて開いた状態で原稿載置面上に被複写物を置く作業を必要とする。
【０００４】
しかし、ＡＤＦは、シート原稿を順次原稿載置面上に送給する機構等が装備されているために、その重量は板状の原稿押さえに比較して著しく大きくなっており、また、複数複写の際には一ページ毎に被複写物を交換するとともにＡＤＦの開閉操作も伴う。
【０００５】
又、従来例としては、例えば特許文献１と特許文献２をあげることが出来る。
【特許文献１】特開２００３−１４０２７７号公報
【特許文献２】特開２００４−１９８５６３号公報
【発明の開示】
【発明が解決しようとする課題】
【０００６】
図５は通常の複写機と使用者の対応関係を説明するための図である。（ａ）は車椅子使用状態を示し、（ｂ）は立位での使用状態を示したものである。
【０００７】
ＡＤＦの開閉操作は使用者が立位で行うように設計されており、ＡＤＦを最大開いた状態では床面からＡＤＦの取っ手部は約１５０ｍｍ以上の高さとなり、車椅子を使用する下肢障害者にはＡＤＦの取っ手部には手が届かないため、ＡＤＦ側面にも手がかりが無いためＡＤＦ開閉操作が容易でない。
【０００８】
また、米国リハビリテーション法５０８条第１１９４．２５条Ｓｅｌｆ  ｃｏｎｔａｉｎｅｄ  ，  ｃｌｏｓｅｄ  ｐｒｏｄｕｃｔｓ  （ｊ）操作部の位置の規定では、床面から１１７０ｍｍ以下の規定があり、コンソール型の画像形成装置は通常立位操作用に操作部の位置やレイアウトがなされているため規定に適合させるためにはＡＤＦ側面に床面から１１７０ｍｍ以下の位置に手がかりが必要である。
【０００９】
さらに、操作に要する力量は２．２７Ｋｇド以下の規定があるが、大型のＡＤＦでは３Ｋｇ以上の操作力量を必要とするものが存在する。
【００１０】
本願発明は、車椅子使用においてもＡＤＦ閉操作が容易にできる装置を簡単な構成で実現しようとするものである。
【課題を解決するための手段】
【００１１】
手がかりとなる把手を具備しており、そのことによりADFを閉じる操作において上記目的が達成される。
【発明の効果】
【００１２】
本発明によれば、通常立位でＡＤＦの取っ手部４を使用する開閉操作に支障をあたえず、車椅子を使用する下肢障害者にも低い位置からのＡＤＦを閉じる操作が容易に行える画像形成装置を、簡単な構成で達成できる。
【発明を実施するための最良の形態】
【００１３】
本発明の実施形態について以下に説明する。
【００１４】
図１は本発明の第１の実施の形態としてのコンソール型電子写真複写機右側斜面からの概略図で、後述の自動原稿送り装置を閉じた状態を示したものである。また、図２は同じく本発明の第１の実施の形態としてのコンソール型電子写真複写機右側斜面からの概略図で、自動原稿送り装置を若干開いた状態を示したものである。
【００１５】
複写機本体１は、本体上面に自動原稿送り装置（ＡＤＦ）３が取り付けられており、そのＡＤＦの下側、本体上面の操作部の奥には原稿載置面２が設けられている。４はＡＤＦ開操作する際に手をかける取っ手である。
【００１６】
複写機本体１の後部に回転ヒンヂ５が設けられ、ＡＤＦ３の後端部とヒンヂ５で固定されている。１２はマグネットロックで、複写機本体１上の図２に示された位置に固定された磁石と、ＡＤＦが閉じられたときにその磁石に向かい合う位置に固定された金属部材とからなり、ＡＤＦが閉じられているときにその状態を保持する。
【００１７】
ＡＤＦは被複写物を原稿載置面２に設置可能とするためにヒンジ部を回転中心として約８０度開く。
【００１８】
その最大開いた状態で、車椅子使用状態でもＡＤＦ  ３を引き寄せ閉じる操作を容易にするための構成が、閉用把手６である。
【００１９】
その閉用把手６は、ＡＤＦ３右側面に設けられた回転軸部材９周りに回動自在に、その被支持部８において支持される。また、形状としては半円弧形状をなし、材質としては弾力のある樹脂などの素材で形成され、グリップ効果の高いものとなっている。また、先端部には保持用球状キャップ７が設けられている。
【００２０】
図３はＡＤＦをヒンジ部５を回転中心として約８０度開いた状態を示した図で、この状態では閉用把手６はパイプ部分の自重によるフリー状態であるため、保持用球状キャップ７が設けられたほうの端部が下方に下がりながらも、ＡＤＦ３右側面に設けられたストッパー１０により回動規制が為され図３のような位置で保持される。なお、この際の保持用球状キャップ７部分が床面から１１７０ｍｍ以下の位置にあることが望ましい。この状態で保持用球状キャップ７および閉用把手６を引き寄せることにより車椅子使用状態でもＡＤＦ  ３を引き寄せて閉じる操作を容易に行うことができる。
【００２１】
閉用把手６は図示のように半円弧形状であるところが特徴であるが、そのような形状の持つ機能について説明する。
【００２２】
図４は閉用把手６まわりを拡大した側面図で、（ａ）はＡＤＦ閉じ完了直前の、若干開かれた状態を示すもので、（ｂ）はＡＤＦ閉状態を示すものである。
【００２３】
図３に示されるようなＡＤＦ３開状態からＡＤＦ３が閉じられていくと、いずれ図４（ａ）に示されるような、
閉用把手６が複写機本体上部１１に接触することとなる。その接触後、ＡＤＦ３が閉じていく過程で、閉用把手６は回転軸部材９周りに回動しつつ、その半円弧形状部分が複写機本体上部１１を引っかかりなく滑ることとなり、複写機本体との干渉を起こさない。これによって、ＡＤＦ３の閉じ動作を邪魔することがない。
【００２４】
また、閉じ完了状態では閉用把手６はそのまま複写機本体上部１１に保持される。
【００２５】
上述の実施の形態によれば、通常立位でＡＤＦの取っ手部４を使用する開閉操作に支障をあたえず、閉用把手を従来の複写機に装着することにより、車椅子を使用する下肢障害者にも低い位置からのＡＤＦを閉じる操作が容易に行える。
【００２６】
また、既存の複写機に搭載されるＡＤＦ側面に使用者の要求に従い追加装着が可能である。
【００２７】
本実施の形態の把手はパイプ状部材、キャップ、回転軸部からなる単純な構造であり、低コストであることを特徴とする。
【００２８】
また、ＡＤＦ閉じ動作の邪魔をすることがないように、閉用把手６自体が複写機本体と干渉を起こさない構成とするために、自重の利用、形状を工夫を施しており、よってバネやダンパーなどの機能部材を用いることなく、上記干渉防止が達成されている。
【図面の簡単な説明】
【００２９】
【図１】本発明の第１の実施の形態の複写機上部に設置したＡＤＦの側面に閉用把手を装備した状態を示す概略図である。
【図２】本発明の第１の実施の形態の複写機上部に設置したＡＤＦの側面に閉用把手を装備した状態を示す概略図である。
【図３】本発明の第１の実施の形態の複写機上部に設置したＡＤＦを全開にした常態を示す概略図である。
【図４】（ａ）は、ＡＤＦ下降時の閉用把手の動作形態を示す概略図、（ｂ）は、ＡＤＦを閉時の閉用把手の収納状態を示す概略図である。
【図５】通常の複写機と使用者の対応関係を説明するための図である。
【符号の説明】
【００３０】
１  複写機本体
２  原稿載置面
３  自動原稿送り装置（ＡＤＦ）
４  開閉用取っ手
５  回転ヒンヂ
６  閉用把手
７  保持用球状キャップ
８  被支持部
９  回転軸部材
１０  ストッパー
１１  本体上部
１２  マグネットロック
【図１】
2006162743.tif 000003
【図２】
2006162743.tif 000004
【図３】
2006162743.tif 000005
【図４】
2006162743.tif 000006
【図５】
2006162743.tif 000007